(57)【要約】【課題】簡単な作業で、服用すべき薬剤を取り出すことができる薬剤取り出し装置を提供することを課題とするものである。【解決手段】  箱本体２と蓋部材３と粘着部材３３を有する。箱本体２には、収容空間１２と開口部１５がある。収容空間１２には、薬剤を内包する薬剤包装を積み重ねた状態で収容される。粘着部材３３は、蓋部材３の収容空間側１２に設けられ、蓋部材３が開口部１５を閉塞している状態の際に粘着部材３３が薬剤包装と接し、蓋部材３が開口部１５を開放した際に、薬剤包装が粘着部材３３に保持されて収容空間１２の外に排出される。【選択図】図８
2016107050.tif 000002
【特許請求の範囲】
【請求項１】
箱本体と蓋部材と粘着部材を有し、箱本体は、収容空間と開口部を有し、前記収容空間は薬剤を内包する薬剤包装を積み重ねた状態で収容するものであり、前記蓋部材は少なくとも使用時においては箱本体と分離不能に取り付けられていて前記箱本体の開口部を開放・閉塞するものであり、粘着部材は、蓋部材の収容空間側に設けられ、蓋部材が前記箱本体の開口部を閉塞している状態の際に粘着部材が薬剤包装と接し、蓋部材が前記箱本体の開口部を開放した際に、薬剤包装が粘着部材に保持されて収容空間の外に排出されることを特徴とする薬剤取り出し装置。
【請求項２】
箱本体には、開口部に最も近い位置にある薬剤包装だけを保持する包装保持部材が設けられていることを特徴とする請求項１に記載の薬剤取り出し装置。
【請求項３】
蓋部材は箱本体に対して揺動するものであることを特徴とする請求項１又は２に記載の薬剤取り出し装置。
【請求項４】
収容空間内に薬剤包装を開口部側に押圧する押圧部材が設けられていることを特徴とする請求項１乃至３のいずれかに記載の薬剤取り出し装置。
【請求項５】
次のいずれかを検知する検知手段が設けられていることを特徴とする請求項１乃至４のいずれかに記載の薬剤取り出し装置。
（１）蓋部材が開かれたことを検知する検知手段。
（２）粘着部材に保持された薬剤包装が粘着部材から取り外されたことを検知する検知手段。
【請求項６】
請求項１乃至５のいずれかに記載の薬剤取り出し装置と、服薬管理装置を有する服薬管理システムであって、前記服薬管理装置は、薬剤取り出し装置を収容する箱収容部を一又は複数有し、薬剤取り出し装置に収容された薬剤を服薬すべき時期が到来したことを知らせる報知手段を有することを特徴とする服薬管理システム。
【請求項７】
箱収容部を複数有し、各箱収容部に対応する報知手段を有することを特徴とする請求項６に記載の服薬管理システム。
【請求項８】
前記服薬管理装置は他の箱収容部と係合する係合部を有し、他の箱収容部を係合させることによって箱収容部を増設可能であることを特徴とする請求項６又は７に記載の服薬管理システム。
【請求項９】
薬剤取り出し装置は服薬に関する情報を記録する情報記録手段を有し、前記情報記録手段の記録された情報を読取る情報読取手段が設けられていることを特徴とする請求項６乃至８のいずれかに記載の服薬管理システム。
【請求項１０】
情報を入力する入力手段と、表示手段と、通信手段を有する端末装置を有し、端末装置と服薬管理装置との間で情報交換が行われることを特徴とする請求項６乃至９のいずれかに記載の服薬管理システム。
【発明の詳細な説明】
【技術分野】
【０００１】
本発明は、薬剤を一服用分づつ取り出す薬剤取り出し装置に関するものである。また本発明は、薬剤取り出し装置を含む服薬管理システムに関するものである。
【背景技術】
【０００２】
高齢の患者や、症状が急性期を脱した患者は、在宅で療養する場合が多い。また高血圧症や高脂血圧の様な緊急性を要しない患者についても、在宅で療養する場合が多い。在宅で療養する患者は、自己管理に基づいて服薬を行う必要がある。
例えば処方が、朝にＡ薬とＢ薬を服用し、昼にＢ薬を服用し、夕食後に朝の倍量のＡ薬とＣ薬を服用するものであるならば、患者みずからが決められた時間に決められた種類の薬剤を決められた量だけ薬箱等から取り出し、服用する必要がある。
しかしながら、現実問題として、飲むべき薬の種類や量を間違ったり、飲み忘れることがある。また逆に重複して服用してしまうこともある。
特に、高齢者や気力が低下した患者にとっては、薬の仕分けや、決められた種類の薬剤を決められた量だけ薬箱等から取り出すことが困難であり、正確に薬剤を服用できていない場合もある。
【０００３】
また高齢者の介護施設等では、介護要員が服薬の管理を補助することとなるが、現状の介護施設では、一人の介護要員が複数の高齢者を介護する場合が多く、介護要員の負担が大きい。即ち介護施設では、介護要員が、決められた時間に決められた種類の薬剤を決められた量だけ薬箱等から取り出し、患者に薬剤を手渡すこととなるが、この作業は面倒であり、改善が望まれていた。
【０００４】
この問題を解決する手段が特許文献１に開示されている。特許文献１に開示された発明は、薬箱に関する発明であり、処方薬を一包化した袋を服用時間順に配列させて帯状としたものを使用する。そしてこの袋帯をロール状に巻いて箱に収納し、袋帯の一端を取り出し口から垂下させる。
服用時には、袋帯の一端を引っ張って取り出し口から袋帯を順次引き出し、一袋づつ切り離し、開封して服用する。
【先行技術文献】
【特許文献】
【０００５】
【特許文献１】特許第３１５４２１１号公報
【発明の概要】
【発明が解決しようとする課題】
【０００６】
特許文献１に開示された発明によると、薬の整理や管理等に要する患者や介護要員の負担が軽減され、且つ服薬間違いが発生しにくい。
しかしながら、特許文献１に開示された発明では、患者や介護要員が、袋帯から袋を一袋づつ切り離す作業がある。そこで本発明は、より簡単な作業で、服用すべき薬剤を取り出すことができる薬剤取り出し装置を提供することを課題とするものである。
【課題を解決するための手段】
【０００７】
上記した課題を解決するための態様は、箱本体と蓋部材と粘着部材を有し、箱本体は、収容空間と開口部を有し、前記収容空間は薬剤を内包する薬剤包装を積み重ねた状態で収容するものであり、前記蓋部材は少なくとも使用時においては箱本体と分離不能に取り付けられていて前記箱本体の開口部を開放・閉塞するものであり、粘着部材は、蓋部材の収容空間側に設けられ、蓋部材が前記箱本体の開口部を閉塞している状態の際に粘着部材が薬剤包装と接し、蓋部材が前記箱本体の開口部を開放した際に、薬剤包装が粘着部材に保持されて収容空間の外に排出されることを特徴とする薬剤取り出し装置である。
【０００８】
本態様の薬剤取り出し装置では、蓋部材が前記箱本体の開口部を閉塞している状態の際に粘着部材が薬剤包装と接し、薬剤包装が粘着部材に接着される。
そして蓋部材が箱本体の開口部を開放した際には、薬剤包装が粘着部材に接着した状態を維持し、薬剤包装が粘着部材に保持されて収容空間の外に排出される。
本態様によると、患者や介護要員は、袋帯から一袋ずつ切り離す作業から開放される。
【０００９】
箱本体には、開口部に最も近い位置にある薬剤包装だけを保持する包装保持部材が設けられていることが望ましい。
【００１０】
本態様によると、薬剤包装を確実に一つずつ取り出すことができる。
【００１１】
蓋部材は箱本体に対して揺動するものであることが望ましい。
【００１２】
収容空間内に薬剤包装を開口部側に押圧する押圧部材が設けられていることが望ましい。
【００１３】
次のいずれかを検知する検知手段が設けられていることが望ましい。
（１）蓋部材が開かれたことを検知する検知手段。
（２）粘着部材に保持された薬剤包装が粘着部材から取り外されたことを検知する検知手段。
【００１４】
例えば検知手段を記憶手段に接続することにより、蓋部材が開かれたか否かの履歴を残すことができ、服用履歴の補助資料を作るのに役立てることができる。また検知手段を通信手段に接続することにより、遠隔にいる家族等が患者の服薬状態を知る手段として役立てることもできる。
【００１５】
また上記した薬剤取り出し装置を含めて服薬管理システムを構築することもできる。
服薬管理システムは、薬剤取り出し装置と、服薬管理装置を有し、前記服薬管理装置は、薬剤取り出し装置を収容する箱収容部を一又は複数有し、薬剤取り出し装置に収容された薬剤を服薬すべき時期が到来したことを知らせる報知手段を有する。
【００１６】
本態様の服薬管理システムによると、患者等は服薬すべき時期が到来したことを知ることができ、飲み忘れが起きにくい。また患者等の服薬管理に要する肉体的負担や精神的負担が軽減される。
【００１７】
箱収容部を複数有し、各箱収容部に対応する報知手段を有することが望ましい。
【００１８】
本態様によると、服用すべき時期に服用すべき薬剤を報知手段で知らせることができる。
【００１９】
前記服薬管理装置は他の箱収容部と係合する係合部を有し、他の箱収容部を係合させることによって箱収容部を増設可能であることが望ましい。
【００２０】
本態様によると、患者が服用すべき薬剤が数多い場合でも対応することができる。
【００２１】
薬剤取り出し装置は服薬に関する情報を記録する情報記録手段を有し、前記情報記録手段の記録された情報を読取る情報読取手段が設けられていることが望ましい。
【００２２】
情報を入力する入力手段と、表示手段と、通信手段を有する端末装置を有し、端末装置と服薬管理装置との間で情報交換が行われることが望ましい。
【発明の効果】
【００２３】
本発明の薬剤取り出し装置は、簡単な作業で、服用すべき薬剤を取り出すことができる。そのため本発明の薬剤取り出し装置は、患者や介護要員の負担を軽減することができる効果がある。
また本発明の服薬管理システムを使用すると、薬の飲み忘れが起きにくい。また本発明の服薬管理システムを使用すると、患者等の服薬管理に要する肉体的負担や精神的負担が軽減される。
【図面の簡単な説明】
【００２４】
【図１】本発明の第１実施形態の薬剤取り出し装置の斜視図であり、蓋部材を閉じた状態を示す。
【図２】本発明の第１実施形態の薬剤取り出し装置の斜視図であり、箱本体内に小袋が無い状態で蓋部材を開いた状態を示す。
【図３】図１の薬剤取り出し装置に収納される小袋の斜視図である。
【図４】図１の薬剤取り出し装置に収納される小袋を重ねた状態の斜視図である。
【図５】図１のＡ−Ａ断面図である。
【図６】図１のＢ−Ｂ断面図である。
【図７】本発明の第１実施形態の薬剤取り出し装置の斜視図であり、箱本体内に小袋が有る状態で蓋部材を開けんとする途中を示す。
【図８】本発明の第１実施形態の薬剤取り出し装置の斜視図であり、箱本体内に小袋が有る状態で蓋部材を開いた状態を示す。
【図９】本発明の第２実施形態の薬剤取り出し装置の側面断面図である。
【図１０】本発明の第２実施形態の薬剤取り出し装置の分解斜視図である。
【図１１】本発明の第２実施形態の薬剤取り出し装置の箱本体及び中敷部材の斜視図である。
【図１２】本発明の第２実施形態の薬剤取り出し装置の箱本体に昇降部材を差し込んだ状態の斜視図である。
【図１３】本発明の第２実施形態の中敷部材と昇降部材の関係を示す斜視図である。
【図１４】本発明の実施形態の服薬管理システムの構成図である。
【図１５】図１４の服薬管理システムを構成する服薬管理装置の親機に薬剤取り出し装置を装着した状態を示す斜視図である。
【図１６】本発明の実施形態の服薬管理システムの構成の組み合わせを説明する説明図である。
【図１７】本発明の他の実施形態の服薬管理システムの構成図である。
【図１８】図１７に示す服薬管理システムの配線図の一部である。
【図１９】本発明のさらに他の実施形態の服薬管理システムの構成図及び情報パターンの説明図である。
【発明を実施するための形態】
【００２５】
以下さらに本発明の実施形態について説明する。
第１施形態の薬剤取り出し装置１は、直方体の箱状であり、箱本体２と蓋部材３を有している。
箱本体２は、上面だけが開口し、他の面が壁で覆われた構造をしている。即ち箱本体２は、底壁５と、正面壁６、裏面壁７及び側面壁１０，１１を有し、天面だけが開放された箱体である。箱本体２の内部は空洞であり、薬剤を内包する小袋４０を複数収容するための収容空間１２となっている。
【００２６】
蓋部材３は四角形であって、箱本体２の開口部１５を覆うものであり、開口部１５を開放・閉塞することができる。
本実施形態では、箱本体２と蓋部材３は、一枚の厚紙を展開形状に打ち抜き、これを折り曲げて作られたものであり、蓋部材３の一辺は、箱本体２の開口部１５の一辺２０と共通する。そのため蓋部材３は、その一辺２０が箱本体２の開口端に接続された状態であり、蓋部材３を箱本体２から分離することはできない。ただし、蓋部材３の他の辺は、箱本体２から切り離されており、蓋部材３は、接続された一辺２０を中心として揺動する。
即ち蓋部材３は、一辺２０がヒンジとして機能し、揺動して箱本体２の開口部１５を開放・閉塞することができる。
また蓋部材３の揺動辺（一辺２０）に対して対向する辺には、差し込み片２１が形成されている。
【００２７】
本実施形態では、箱本体２の開口部１５に包装保持部材２２が設けられている。包装保持部材２２は、箱本体２の開口部１５の前記した揺動辺（一辺２０）に直交する２辺２５，２６に設けられている。
包装保持部材２２は長方形であり、開口部１５の２辺２５，２６を基端として箱本体２の底壁５に対して平行に張り出したものである。また包装保持部材２２の側辺２７，２８，３０，３１は、箱本体２の開口部１５に接着されている。
そのため包装保持部材２２は、その３辺が箱本体２の開口部１５に接続されており、曲がり難く、撓み難い。
【００２８】
包装保持部材２２は、箱本体２の開口部１５の一部を閉塞するものである。そのため、箱本体２の実際の開口面積は、箱本体２内の断面積（平面断面）よりも小さい。また箱本体２の実際の開口面積は、小袋４０よりも小さい。
【００２９】
蓋部材３の内側には、粘着部材３３が設けられている。即ち粘着部材３３は、蓋部材３の収容空間１２側にある。粘着部材３３は、ある程度の立体形状であり、圧縮方向に弾性変形することができる。
粘着部材３３は、糊を固めた物や、ゴム等の弾性体の表面に糊を付着させたものであり、粘着性はあるものの、物を分離できない程の接着強度は発生しない。
【００３０】
本実施形態では、箱本体２の収容空間１２内に、押圧部材３５と、複数の小袋４０が収納されている。
小袋４０は、患者が服用する薬剤を一服用分づつ内包する薬剤包装である。小袋４０には、例えば、朝服用分、昼服用分、夜服用分が内包されている。そして小袋４０の表面には、患者名と、服用時期が印刷されている。小袋４０は、平面形状が四角形である。小袋４０は、不織布や紙、あるいは樹脂フィルム等で作られており、簡単に変形する。ただし、折り目は付きにくい。
【００３１】
小袋４０は、服用時期順に積み重ねられて図４の様な小袋群４１となっている。
なお公知の薬剤分包装置には、小袋４０を帯状に連ねて排出し、かつ服用順に並べることができるものがあるから、患者や介護要員は、帯状の排出された小袋を切り取ってその順に重ねるだけで収容空間１２内に収容する小袋群４１を作ることができる。
【００３２】
押圧部材３５は、弾性体である。押圧部材３５は、例えばスポンジ等の軟質の多孔質樹脂であり、大きな変形能を持つものである。押圧部材３５は、１０分１程度の厚さに圧縮でき、容易に元の厚さに復元するものが望ましい。
【００３３】
収容空間１２の底側に押圧部材３５が配置され、その上に小袋群４１が配置される。そのため小袋群４１は、常時押圧部材３５によって、開口部１５側に押圧されている。しかしながら、箱本体２の開口部１５には、包装保持部材２２が設けられており、開口部１５の実質的な開口面積は、小袋４０よりも小さいから、小袋４０の周辺部が包装保持部材２２の内面と当接し、小袋４０が箱本体２から脱出することはない。
【００３４】
本実施形態の薬剤取り出し装置１の通常の状態は、図１の様であり、蓋部材３によって箱本体２の開口部１５が閉塞されている。この際の内部の様子は、図５、図６の通りであり、蓋部材３の収容空間１２側に設けられた粘着部材３３が、一番上の小袋４０の表面と接触している。そのため蓋部材３に設けられた粘着部材３３に、一番上の小袋４０だけが付着する。
そして使用者が蓋部材３を開くと、図７の様に小袋４０の端辺部が弾性変形して形状が縮まり、包装保持部材２２をすり抜けて脱出する。
そのため蓋部材３を完全に開くと、図８の様に、小袋４０が蓋部材３に貼り付いた状態で、収容空間１２から脱出する。
【００３５】
使用者は、小袋４０を蓋部材３からはぎ取り、小袋４０を破って内部の薬剤を取り出し、服用する。
本実施形態の薬剤取り出し装置１によると、薬剤を一服用分づつ取り出すことができる。また小袋４０を切り離す必要は無いから、患者や介護要員の負担は小さい。
【００３６】
薬剤取り出し装置１の蓋部材３は、箱本体２の開口部１５を開放した際に、図８の様に開口部１５を開放した状態を維持することが望ましい。
例えば本実施形態の様に、厚紙を折り曲げて箱本体２及び蓋部材３を作る場合には、紙自体が有する弾性力を利用して蓋部材３の姿勢を開口部１５を開放した状態に維持させることができる。
またバネやゴム等の弾性体を利用して蓋部材３の姿勢を開口部１５を開放した状態に維持させることも可能である。
【００３７】
薬剤取り出し装置１に対して小袋群４１を収容する作業は患者又は介護要員が行うこととなる。この場合は、小袋群４１を含まない薬剤取り出し装置１が薬局等から供給される。そして処方に応じて薬剤が収容され、帯状に繋がった小袋４０が別途薬局から供給され、患者又は介護要員がこれを切り分けて小袋群４１を作り、薬剤取り出し装置１の収容空間１２に収容する。
あるいは、薬局等で帯状に繋がった小袋４０を切り分けて小袋群４１を作り、薬局等で薬剤取り出し装置１の収容空間１２に収容した状態とし、これを患者等に供給してもよい。この場合には、薬剤取り出し装置１を使い捨ててもよい。
【００３８】
上記した実施形態では、薬剤取り出し装置１を紙で製作したが、樹脂や金属、木材等で薬剤取り出し装置１を製作してもよい。
また、蓋部材３を箱本体２に係合させる係合部を設け、ボタンやレバー等を操作することによって係合を解消させて蓋部材３が開く様な構造を採用することもできる。蓋部材３を押すことによって係合を解消させ、蓋部材３が開く様な構造を採用する構造も推奨される。
【００３９】
上記した実施形態では、蓋部材３を箱本体２の上に設けたが、側面や正面に設けてもよい。また壁や柱に薬剤取り出し装置１に取り付けることを前提として、箱本体２の底壁５に蓋部材３を設けてもよい。
【００４０】
上記した実施形態では、押圧部材３５としてスポンジ等の軟質の多孔質樹脂を採用したが、バネやゴムを活用してもよい。ただし押圧部材３５は、広い面積をもって小袋４０を押圧する必要があるから、バネを活用する場合には、移動可能な中敷部材を設け、中敷部材の下部にバネを配し、中敷部材を介して広い面積で小袋４０を押圧することが望ましい。
【００４１】
本発明の第２実施形態として、押圧部材４５をバネ４６と昇降部材４７と中敷部材４８によって構成した薬剤取り出し装置５０について説明する。なお先の実施形態と同一の構成部材には、同一の番号を付して重複した説明を省略する。
第２実施形態の薬剤取り出し装置５０は、箱本体５１と設置台５２によって構成されてる。
箱本体５１は、図１０に示す様に、背面側にスリット５３が設けられている。スリット５３は、裏面壁７の中央にあり、天地方向に延びている。箱本体５１の他の構成は、先の実施形態の箱本体２と同一である。
【００４２】
箱本体５１内に中敷部材４８が設けられている。中敷部材４８は、平面状の昇降板５５を有し、昇降板５５の側面側に足部材５５ａ，５５ｂ，５５ｃ，５５ｄが設けられている。足部材５５ａ，５５ｂ，５５ｃ，５５ｄは、中敷部材４８を箱本体５１内に入れた際、昇降板５５と箱本体５１の底との間に昇降部材４７を挿入するための隙間を形成させるために配されたものであり、形状は問わない。本実施形態では、図１３の様にダンボールや厚紙を三角形に折り曲げて足部材５５ａ，５５ｂ，５５ｃ，５５ｄを形成しているが、円形や四角形の短柱であってもよい。
足部材５５ａ，５５ｂ，５５ｃ，５５ｄは、前記したスリット５３に対応する部位には存在しない。
【００４３】
本実施形態では、足部材５５ａと足部材５５ｄとが一列に並べられている。また足部材５５ｂと足部材５５ｃとが一列に並べられている。足部材５５ａと足部材５５ｄによって構成される列と、足部材５５ｂと足部材５５ｃによって構成される列の列同士の間には、ある程度大きな間隔がある。
これに対して、一つの列を構成する足部材５５ａと足部材５５ｄとの間の隙間は、極めて小さい。同様に一つの列を構成する足部材５５ｂと足部材５５ｃとの間の隙間も、極めて小さい。
【００４４】
設置台５２は、箱載置部材６０と、ガイド部材６１、昇降部材４７及びバネ４６によって構成されている。
箱載置部材６０は、箱本体５１を設置するための四角形の板である。ガイド部材６１は、断面形状が円形であって棒状の部材である。
ガイド部材６１は、箱載置部材６０から直立している。ガイド部材６１の上端には上フック６３が設けられている。
【００４５】
昇降部材４７は、昇降棒部６５と、ガイド受け部６６及び下フック７０によって構成されている。昇降棒部６５は、細いナイフ状の部材であり、その幅は、箱本体５１のスリット５３よりも細い。また昇降棒部６５の幅は、一つの列を構成する足部材５５ａと足部材５５ｄとの間の隙間及び足部材５５ｂと足部材５５ｃとの間の隙間と同等である。
ガイド受け部６６は、リング状であり、昇降棒部６５の端部に設けられている。下フック７０についても昇降棒部６５の端部に設けられている。
【００４６】
昇降部材４７は、設置台５２のガイド部材６１にガイド受け部６６を挿通した状態で、設置台５２に設置されている。
箱本体５１は、設置台５２の箱載置部材６０に設置され、昇降部材４７の昇降棒部６５が、箱本体５１のスリット５３に挿入されている。
箱本体５１の内部においては、図９の様に、昇降板５５の下に昇降棒部６５が入る。
昇降棒部６５はナイフ状であって、一つの列を構成する足部材５５ａと足部材５５ｄとの間の隙間、及び足部材５５ｂと足部材５５ｃとの間の隙間にぴったりと嵌まり込み、昇降棒部６５の両側面が、足部材５５ａ，５５ｄ，５５ｂ，５５ｃに保持される。そのため、昇降部材４７を昇降させた際、中敷部材４８のぐらつきが小さい。
【００４７】
また昇降部材４７の下フック７０と、ガイド部材６１側の上フック６３の間にバネ４６が設けられ、昇降棒部６５がバネ４６によって常時、上方向に付勢されている。
ここでバネ４６の付勢力は、小袋群４１を載置した状態で中敷部材４８を上昇させ、一番上の小袋４０を粘着部材３３に押しつけることができる程度の力である。バネ４６によって箱本体５１の全体が持ち上げられてしまうことは避けるべきであり、バネ４６は、箱本体５１の全体を持ち上げることができない程度のものが選定されることが望ましい。
また何らかの係合手段によって、箱本体５１を設置台５２の箱載置部材６０に固定し、バネ４６によって、箱本体５１が持ち上げられることがないようにすることも推奨される。
【００４８】
本実施形態の薬剤取り出し装置５０では、昇降部材４７のガイド受け部６６が昇降部材４７の昇降棒部６５と係合し、上下方向に移動する。また昇降部材４７は、バネ４６によって常時上方向に付勢されている。さらに昇降部材４７の昇降棒部６５は、箱本体５１のスリット５３を経て箱本体５１の内部に入り、中敷部材４８の昇降板５５の下面側と当接している。そのため中敷部材４８の昇降板５５は、常時上方に向かって付勢されており、小袋４０を上方に向かって押圧する。
【００４９】
前記した実施形態では、箱本体５１に設けられたスリット５３は一条であり、昇降棒部６５は一本であったが、スリット５３を二条以上とし、昇降棒部を２以上平行に設け、フォーク状としてもよい。
【００５０】
他の実施形態として、薬剤取り出し装置１の近傍や、薬剤取り出し装置１自体に光センサーやリミットスイッチ等の検知手段を設け、蓋部材３が開いた事実や、小袋４０が取り外されたことを検知する構成も推奨される。
検知手段の検知信号をパソコンや携帯端末等の通信手段や記憶手段に接続し、蓋部材３が開かれたこと等を記録に止めたり遠隔地に送信することができる。
【００５１】
次に、図１４以下を参照しつつ、本発明の実施形態の服薬管理システム７１について説明する。服薬管理システム７１は、第１実施形態の薬剤取り出し装置１を含むシステムである。
本実施形態の服薬管理システム７１は、箱収容装置７２と、通信端末７３及び４個の薬剤取り出し装置１によって構成されている。
また箱収容装置７２は、図１４の様に親機７５と子機７６によって構成されている。
【００５２】
箱収容装置７２の親機７５は、図１４，１５の様に薬剤取り出し装置１を収容する箱収容部７７を２個有している。また各箱収容部７７ａ，ｂに対応して光による報知手段７８を有している。また親機７５は音による報知手段としてスピーカ８８を有している。
さらに、親機７５は、服薬スイッチ８０と、時間外取り出しスイッチ８１等を備えている。以下説明する。
【００５３】
箱収容部７７ａ，ｂは、前記した薬剤取り出し装置１を収容する枠であり、底部、正面部、裏面部及び両側面が壁面で覆われ、上面が開放されている。
本実施形態では裏面部の壁面が上方に延長され、垂直壁１１２を構成している。そして垂直壁１１２にセンサー１０８，１１０が設けられている。センサー１０８は、光学センサーであり、蓋部材３が開かれたことを検知するものである。
他の一つのセンサー１１０は、静電センサーであり、蓋部材３に小袋４０が付着しているか否かを検知するものである。
【００５４】
また  本実施形態では、正面部に窓８２が設けられている。本実施形態では、窓８２に透明な樹脂又はガラスが装着されているが、開口であってもよい。
箱収容部７７ａ，ｂには、はね上げ装置９０が設けられている。はね上げ装置９０は、図示しないソレノイドによって上方に突出する部材である。
【００５５】
箱収容部７７ａ，ｂは、台座部８３に配置されている。台座部８３は、正面に面した表示ライト装着部８６と、上方に面したスイッチ装着部８７を有している。
表示ライト装着部８６には、各箱収容部７７ａ，ｂに対応する光による報知手段７８が装着されている。報知手段７８は具体的には、ＬＥＤ等のライトであり、通電によって発光する。
また表示ライト装着部８６には、時計９７が装着されている。
スイッチ装着部８７には、スピーカ（報知手段）８８と、服薬スイッチ８０が設けられている。また台座部８３の裏面側には時間外取り出しスイッチ８１が設けられている。時間外取り出しスイッチ８１は通常は使用しないスイッチであり、故意に操作しにくい位置に設けられている。
台座部８３の側面には係合部９１がある。係合部９１は、親機７５と子機７６とを物理的電気的に結合するものである。
親機７５の台座部８３には、通信手段と制御装置が内蔵されている（いずれも図示せず）。
【００５６】
次に子機７６について説明する。子機７６は、薬剤取り出し装置１を収容する箱収容部７７ｃ，ｄを２個有している。また各箱収容部７７ｃ，ｄに対応して光による報知手段７８を有している。箱収容部７７ｃ，ｄ及び報知手段７８の構成は、親機７５と同じである。
箱収容部７７ｃ，ｄは、親機７５と同様に台座部９２に配置されているが、子機７６には、時計９７、スピーカ８８、服薬スイッチ８０、時間外取り出しスイッチ８１、通信手段、制御装置は無い。
子機７６の台座部９２の側面には係合部９３が設けられている。子機７６の係合部９３は、親機７５の係合部９１と係合するものであり、両者が係合することによって親機７５と子機７６とが物理的電気的に結合される。
【００５７】
通信端末７３は、公知のノートパソコンや通信タブレットであり、キーボードやタッチパネル等の入力手段と、表示画面を有している。また通信端末７３は、インターネットに接続する通信機能を有している。通信端末７３は他の機器と共に無線ＬＡＮを構築することができるものであり、コードレスで持ち運びできるものである。
さらに通信端末７３は、箱収容装置７２の親機７５の通信手段と通信する機能も備えている。親機７５との通信方法は、有線通信であっても無線通信であってもよい。さらに通信端末７３は、カメラが内蔵されており、バーコードや二次元バーコードを解析することができる。即ち通信端末７３は、バーコードや二次元バーコード等の情報記録手段から情報を読取る情報読取手段を有している。
【００５８】
通信端末７３は、携帯端末としても使用されるものであり、インターネット等を通じて医師や看護師、薬剤師等の医療機関関係者と連絡を取ることができるものである。また患者が施設に入っていたり、年配である様な場合には、子や孫等の親類縁者と連絡を取り合う用途にも使用される。
【００５９】
薬剤取り出し装置１は、先に説明した通りのものであるが、特に本実施形態では、正面壁６に、患者名と服用時期及び薬剤名が印刷されている。例えば、患者名として「藤田隆様」と記載されている。服用時期として「朝食後」「寝る前」等と記載されている。
また薬剤取り出し装置１の正面壁６には、さらに薬剤名が記載されていてもよい。例えば、薬剤取り出し装置１の正面壁６には、薬剤名として「マグリミット錠３３０ｍｇ  ２錠」「タフマックカプセル  １錠」等と記載されていることが望ましい。
また本実施形態では、薬剤取り出し装置１の側面壁１０に、バーコード９８が取り付けられている。バーコード９８には、患者名、服用時期、薬剤名等の服薬に関する情報が記録されている。
さらに本実施形態では、蓋部材３の外表面に、検知部１１１が設けられている。検知部１１１は、黒色等に着色された部位であり、蓋部材３が開かれたことを検知するセンサー１０８の検知精度を向上させるために設けられている。
【００６０】
本実施形態では、親機７５の係合部９１と、子機７６の係合部９３が結合され、両者が一体化されて一つの箱収容装置７２が構成されている。
また箱収容装置７２の箱収容部７７ａ，ｂ，ｃ，ｄに、それぞれ一個ずつ薬剤取り出し装置１ａ，ｂ，ｃ，ｄが挿入されている。
箱収容部７７ａ，ｂ，ｃ，ｄに、薬剤取り出し装置１ａ，ｂ，ｃ，ｄを挿入するに際しては、予め、通信端末７３のカメラで薬剤取り出し装置１のバーコード９８を読み出す。通信端末７３には所定のソフトウェアが格納されており、表示装置に当該薬剤取り出し装置１ａ，ｂ，ｃ，ｄを挿入するべき箱収容部７７ａ，ｂ，ｃ，ｄが指示される。使用者は、通信端末７３の指示に従って所定の箱収容部７７ａ，ｂ，ｃ，ｄに薬剤取り出し装置１ａ，ｂ，ｃ，ｄを挿入する。
また通信端末７３から、箱収容装置７２に、各薬剤の服用時期と各薬剤の収容位置（箱収容部７７ａ，ｂ，ｃ，ｄ）に関する情報が送信される。
【００６１】
本実施形態の服薬管理システム７１は、患者の枕元等の様な患者が日常的に過ごす場所の近傍に置かれる。
そしていずれかの薬剤を服用すべき時刻が到来すると、箱収容装置７２のスピーカ８８からそれを知らせる音が発せられる。スピーカ８８から発せられる音は、ブサーやチャイムの様な単純な音であってもよく、「お薬の時間です」という様な言葉であってもよく、メロディであってもよい。
また通信端末７３からも同様の音を発生させてもよい。
【００６２】
加えて箱収容装置７２では、服用すべき薬剤が配された箱収容部７７ａ，ｂ，ｃ，ｄに対応する報知手段７８が発光する。報知手段７８は具体的には、ＬＥＤ等のライトであり、通電によって発光する。
そして使用者が服薬スイッチ８０を操作すると、服用すべき薬剤が配された箱収容部７７ａ，ｂ，ｃ，ｄのはね上げ装置９０が起動して、はね上げ装置９０が、図示しないソレノイドによって上方に突出する。その結果、薬剤取り出し装置１ａ，ｂ，ｃ，ｄの蓋部材３が開き、小袋４０が蓋部材３に貼り付いた状態で、収容空間１２から脱出する。
前記した様に、はね上げ装置９０は、服用すべき薬剤が配された箱収容部７７ａ，ｂ，ｃ，ｄに配置されたものだけが動作するから、服用すべき薬剤が配された箱収容部７７ａ，ｂ，ｃ，ｄの蓋部材３だけが開き、他は閉じたままの状態を維持する。
使用者は、開かれた箱収容部７７ａ，ｂ，ｃ，ｄの蓋部材３から小袋４０を取り外して薬剤を服用し、手動で蓋部材３を閉じる。
【００６３】
本実施形態では、いずれの箱収容部７７ａ，ｂ，ｃ，ｄの蓋部材３がどの時刻に開かれ、どの時刻に蓋部材３が閉じられたかが親機７５の制御装置に記録され、当該記録が一定の期間、保存される。なお、蓋部材３が閉じられた事実をもって、患者が薬剤を服用したとみなし、その事実も記録される。
前記した記録は、親機の通信手段によって通信端末７３に送信され、同じ情報が通信端末７３にも保存される。
インターネット等を通じて、患者が薬剤を服用したとみなされる時刻と薬剤の情報が医師や家族等の外部の者に送信される。
【００６４】
本実施形態の服薬管理システム７１では、服用すべき時期が到来していない場合は、服薬スイッチ８０を操作しても薬剤取り出し装置１ａ，ｂ，ｃ，ｄの蓋部材３は開かない。  本実施形態の服薬管理システム７１では、時間外取り出しスイッチ８１があり、時間外取り出しスイッチ８１を操作すると時刻に係わらず全ての薬剤取り出し装置１ａ，ｂ，ｃ，ｄの蓋部材３が開く。
時間外取り出しスイッチ８１が操作された事実や操作された時刻についても、親機７５の制御装置に記録され、当該記録が一定の期間、保存される。
【００６５】
次に、服薬管理システム７１の拡張について図１６を参照しつつ説明する。本実施形態の服薬管理システム７１では、図１６（ａ）の様に、一台の通信端末７３に一台の親機７５が関連付けられた構成を最小単位とする。また一台の通信端末７３には親機７５を二台まで関連付けることができる。各親機７５には、それぞり一台ずつ子機７６を係合させることができる。
そのため図１６（ａ）の様に親機７５を一台だけ有する構成、（ｂ）の様に、親機７５を一台だけ有しそれに子機７６を一台接続した構成、（ｃ）の様に、親機７５を二台有しその内の一台の親機７５に子機７６を一台接続した構成、（ｄ）の様に、親機７５を二台有しそれぞれに子機７６を一台接続した構成を構築することができる。
図１６（ｅ）の様に子機７６だけを有する構成や、図１６（ｆ）の様に子機７６を２台以上、親機７５に接続することはできない。
ただし本発明は、この構成に限定されるものではなく、より多くの親機７５や子機７６を関連付ける構成が可能なものであってもよい。
【００６６】
次に、他の服薬管理システム１００について説明する。
図１７に示す服薬管理システム１００は、本体機１０１と複数の補助機１０２によって構成されている。本体機１０１には、前記したスピーカ８８と、服薬スイッチ８０及び時間外取り出しスイッチ（図示せず）が設けられている。また本体機１０１には図示しない通信手段と制御装置が内蔵されている。
【００６７】
補助機１０２には箱収容部７７が一個づつ設けられている。また補助機１０２には、報知手段７８が設けられている。
補助機１０２には両側面に図示しない係合部があり、本体機１０１と接続することができる。また補助機１０２同士を接続することもできる。図１７は、一台の本体機１０１に３台の補助機１０２を直列接続しているが、補助機１０２の接続数は任意である。
【００６８】
本実施形態では、複数の補助機１０２が直列的に接続されているが、各補助機１０２は、接続位置を自動認識することができる。
図１８は、各補助機１０２に接続位置を認識させるための回路を示している。
まず本体機１０１について説明すると、本体機１０１では、抵抗Ｒ１，Ｒ２で分圧され、一定の電圧に調節された信号電圧出力端子１０５を有している。また補助機１０２は、信号電圧入力端子１０６と信号電圧出力端子１０７とを有している。
そして信号電圧入力端子１０６から入力された信号電圧は、抵抗Ｒ３，Ｒ４で分圧されて信号電圧出力端子１０７から出力される。
各補助機１０２は、直列に接続されるから、各補助機１０２における抵抗Ｒ３，Ｒ４で分圧後の電圧は、下流側の補助機１０２ほど低いものとなる。
本実施形態では、各補助機１０２内で抵抗Ｒ３，Ｒ４で分圧後の電圧を測定し、この電圧に基づいて自己の接続位置を認識する。
【００６９】
以上説明した実施形態では、情報記録手段として薬剤取り出し装置１の側面壁１０にバーコード９８を取り付けたが、情報記録手段はバーコードに限定されるものではなく、ＲＦＩＤ（Ｒａｄｉｏ  Ｆｒｅｑｕｅｎｃｙ  ＩＤｅｎｔｉｆｉｃａｔｉｏｎ）等の記録媒体であってもよい。
また情報読取手段は、ハンディバーコードリーダ等の通信端末７３とは別体のものであってもよい。
【００７０】
また情報読取手段を補助機１０２や箱収容部７７に内蔵してもよい。
この場合、情報記録手段に記録する情報は、必要最低限のものとするべきであり、例えば服用時期だけを記録することが推奨される。
さらに服用時期を単純な記号としたり、記号の組み合わせとすることにより、情報読取手段をより単純化することができる。
例えば、所定の位置に複数の升を図示し、この升が白抜きであるか塗りつぶされたものであるかによって、服用時期を特定する。
具体的には、図１９の様に、３個の升を図示し、塗りつぶされた升の位置や数に応じて服用時期を特定する。
前記した様に、薬剤取り出し装置１の正面壁６に、患者名等が印刷されるが、これに加えて、３個の升を印刷する。升は、図１９に示した規則に応じて、特定の位置を塗りつぶした状態で印刷される。
【００７１】
一方、箱収容部７７には、升の位置に対応する位置に、反射センサー１０３ａ，ｂ，ｃを配置し、升が塗りつぶされたものであるか白抜きであるかだけを判別する。
そして判別した結果を本体機１０１等に送信し、薬剤が収容されている位置を特定させる。
本実施形態によると、箱収容部７７に薬剤取り出し装置１を装着するだけで、薬剤が収容されている位置を特定することができる。
【符号の説明】
【００７２】
１  薬剤取り出し装置
２  箱本体
３  蓋部材
１２  収容空間
１５  開口部
２２  包装保持部材
３３  粘着部材
３５  押圧部材
４０  小袋（薬剤包装）
４５  押圧部材
４６  バネ
４７  昇降部材
４８  中敷部材
５０  薬剤取り出し装置
５１  箱本体
５２  設置台
５３  スリット
６０  箱載置部材
６１  ガイド部材
７１  服薬管理システム
７２  箱収容装置
７３  通信端末
７５  親機
７６  子機
７７ａ，ｂ，ｃ，ｄ  箱収容部
７８  報知手段
８０  服薬スイッチ
８８  スピーカ（報知手段）
９１，９３  係合部
９８  バーコード（情報記録手段）
１０１  本体機
１０２  補助機
【図１】
2016107050.tif 000003
【図２】
2016107050.tif 000004
【図３】
2016107050.tif 000005
【図４】
2016107050.tif 000006
【図５】
2016107050.tif 000007
【図６】
2016107050.tif 000008
【図７】
2016107050.tif 000009
【図８】
2016107050.tif 000010
【図９】
2016107050.tif 000011
【図１０】
2016107050.tif 000012
【図１１】
2016107050.tif 000013
【図１２】
2016107050.tif 000014
【図１３】
2016107050.tif 000015
【図１４】
2016107050.tif 000016
【図１５】
2016107050.tif 000017
【図１６】
2016107050.tif 000018
【図１７】
2016107050.tif 000019
【図１８】
2016107050.tif 000020
【図１９】
2016107050.tif 000021